(57)【要約】【課題】  従来のようなレバーをなくし、小型化、低コスト化を図り、Ｘ軸、Ｙ軸、Ｚ軸の３方向の３軸調心を可能とし、モジュールの設計自由度も高める。【解決手段】  オス側のハウジングの先端側内面にメス側のハウジング外面に接する膨出部１３を形成し、その下方に隙間１４を形成し、一方のハウジングの背面にバネ片を背面側の周囲に複数形成し、パネル開口から挿入されてきた一方のハウジングの複数のバネ片先端をパネルの係止壁に接触させてハウジングをパネルに取付け、２つのハウジングのいずれかに電極挿入孔又はオス端子を備えたインナーケース８をスライド可能に収容し、インナーケースの側面に設けた突部１２に係脱する爪部１１を有する切欠片６をハウジングに形成し、他方のハウジングのオス端子又は電極挿入孔を一方のハウジングの電極挿入孔又はオス端子に挿入してインナーケースを爪部と突部との係合を外すように押し込んで両コネクタを結合させた。【選択図】  図８
2006302654.tif 000002
【特許請求の範囲】
【請求項１】
互いに嵌め合わせられる２つのハウジングの一方に電極挿入孔、他方に電極挿入孔に挿入されるオス端子を備え、電極挿入孔を備えたメス側のコネクタとオス端子を備えたオス側のコネクタとを結合させるコネクタの結合構造において、
前記オス側のハウジングにメス側のハウジングが嵌まり合うときにオス側のハウジングの先端側内面にメス側のハウジング外面に接する膨出部を形成して膨出部以外の内面と他方のハウジング外面との間に隙間を形成し、
パネルの開口に取付けられる一方のハウジングの背面を画成する外郭線から各先端側が外方へ膨らむバネ片を背面側の周囲に複数形成し、
パネル開口の背面側に前記バネ片の先端が弾力的に接触する係止壁を形成し、
パネル開口から挿入されてきた一方のハウジングの複数のバネ片先端を係止壁に接触させてハウジングをパネルに取付け、
前記２つのハウジングのいずれかに電極挿入孔又はオス端子を備えたインナーケースをスライド可能に収容し、
インナーケースの側面に設けた突部に係脱する爪部を有する切欠片をハウジングに形成し、
他方のハウジングのオス端子又は電極挿入孔を一方のハウジングの電極挿入孔又はオス端子に挿入してインナーケースを前記爪部と突部との係合を外すように押し込んで両コネクタを結合させたことを特徴とするコネクタ結合構造。
【発明の詳細な説明】
【技術分野】
【０００１】
本発明は、自動車等に装備されているオーディオやメータ等の補機とワイヤハーネスとの接続に使用されるコネクタ同士を結合するためのコネクタ結合構造に関する。
【背景技術】
【０００２】
従来のコネクタ結合構造としては、例えば自動車のインスツールメントパネルにオーディオを装備する場合、電源からパネルまで延びたワイヤハーネスにメスコネクタが接続され、このメスコネクタにオーディオの裏側に設けられているオスコネクタを結合させるが、インスツールメントパネルの裏側でオス、メスのコネクタを結合させる作業を行い、結合後にオーディオをインスツールメントパネルに固定していた。そのために、２つの作業を行い、作業性が悪く、かつオーディオ取付後にハーネスの余長による弛みが生じ、走行中に異音が発生する不具合もあった。
【０００３】
そこで、オスコネクタとメスコネクタとの間の位置ずれをコネクタ自身で解消できるようにし、組付作業の効率を良くし、コネクタ同士を容易に、確実に結合させるようにしたものが開発された。これは、メスコネクタを、ハウジング、ハウジングを移動可能にするガイド、ガイドに設けられる第１の円柱状突起、ハウジングに設けられる第２の円柱状突起から構成し、オスコネクタを、オスコネクタ用ハウジング、レバー、このハウジング内に設けられたメスコネクタ用端子及びオスコネクタ用端子、前記第１，第２の円柱状突起を誘導する誘導溝から構成したものである。そして、誘導溝の内部で第１の円柱状突起を作用点として第２の円柱状突起を力点としてメスコネクタ用ハウジングをオスコネクタとの結合方向に移動させ両ハウジングを結合させる（特許文献１参照）。
【特許文献１】特開２０００−２１５９４４号公報（第４頁、図３）
【発明の開示】
【発明が解決しようとする課題】
【０００４】
特許文献１に開示されたオスコネクタには、ハウジングの上面及び下面に支点を配置してこの支点の反対側が連結されたＵ字状のレバーが左右対称に設けられていて、レバーに形成されたレバー溝に第１，第２の円柱状突起を誘導しながらコネクタ同士を結合させるものであり、レバーがいわばカムの機能を有する重要な構成となっている。このようなカム部品（レバー）を必須の構成とするために、部品点数が多くなり、コスト高となっていた。また、このカム部品（レバー）が大きいために、モジュールの設計自由度が落ちてしまうという不都合もあった。
【０００５】
そこで、本発明は、従来のようなレバーをなくし、小型化、低コスト化を図り、Ｘ軸、Ｙ軸、Ｚ軸の３方向の３軸調心を可能とし、モジュールの設計自由度も高めたコネクタ結合構造を提供することを目的とする。
【課題を解決するための手段】
【０００６】
上述の目的を達成するため、本発明は、互いに嵌め合わせられる２つのハウジングの一方に電極挿入孔、他方に電極挿入孔に挿入されるオス端子を備え、電極挿入孔を備えたメス側のコネクタとオス端子を備えたオス側のコネクタとを結合させるコネクタの結合構造において、前記オス側のハウジングにメス側のハウジングが嵌まり合うときにオス側のハウジングの先端側内面にメス側のハウジング外面に接する膨出部を形成して膨出部以外の内面と他方のハウジング外面との間に隙間を形成し、パネルの開口に取付けられる一方のハウジングの背面を画成する外郭線から各先端側が外方へ膨らむバネ片を背面側の周囲に複数形成し、パネル開口の背面側に前記バネ片の先端が弾力的に接触する係止壁を形成し、パネル開口から挿入されてきた一方のハウジングの複数のバネ片先端を係止壁に接触させてハウジングをパネルに取付け、前記２つのハウジングのいずれかに電極挿入孔又はオス端子を備えたインナーケースをスライド可能に収容し、インナーケースの側面に設けた突部に係脱する爪部を有する切欠片をハウジングに形成し、他方のハウジングのオス端子又は電極挿入孔を一方のハウジングの電極挿入孔又はオス端子に挿入してインナーケースを前記爪部と突部との係合を外すように押し込んで両コネクタを結合させたものである。
【発明の効果】
【０００７】
本発明によれば、互いに嵌め合わせられる２つのハウジングの一方に電極挿入孔、他方に電極挿入孔に挿入されるオス端子を備え、電極挿入孔を備えたメス側のコネクタとオス端子を備えたオス側のコネクタとを結合させるコネクタの結合構造において、前記オス側のハウジングにメス側のハウジングが嵌まり合うときにオス側のハウジングの先端側内面にメス側のハウジング外面に接する膨出部を形成して膨出部以外の内面と他方のハウジング外面との間に隙間を形成し、パネルの開口に取付けられる一方のハウジングの背面を画成する外郭線から各先端側が外方へ膨らむバネ片を背面側の周囲に複数形成し、パネル開口の背面側に前記バネ片の先端が弾力的に接触する係止壁を形成し、パネル開口から挿入されてきた一方のハウジングの複数のバネ片先端を係止壁に接触させてハウジングをパネルに取付け、前記２つのハウジングのいずれかに電極挿入孔又はオス端子を備えたインナーケースをスライド可能に収容し、インナーケースの側面に設けた突部に係脱する爪部を有する切欠片をハウジングに形成し、他方のハウジングのオス端子又は電極挿入孔を一方のハウジングの電極挿入孔又はオス端子に挿入してインナーケースを前記爪部と突部との係合を外すように押し込んで両コネクタを結合させたので、複数のバネ片によりＸ軸、Ｙ軸の２方向における調心が可能であり、Ｚ軸方向の調整はインナーケースの突部による爪部との係脱により容易に行える。また、従来のような左右一対の大きなレバーを用いないために、小型化、低コスト化を図ることができる。
【発明を実施するための最良の形態】
【０００８】
以下に、本発明の実施形態について、図面を参照にして説明する。
【０００９】
図１では、インスツールメントパネルなどの一方のコネクタを取付けるためのパネル１にメス側のコネクタ４を取付けた状態をパネル１の背面から見た図である。パネル１には、コネクタ４を取付ける開口２をあけ、この開口２の背面側に係止壁３を形成してある。この係止壁３は、パネル１の背面に突出するように形成したものと開口２と同一面上の孔の周壁とで形成してある。前記コネクタ４の背面に先端５Ａが外方に丸く膨出したバネ片５を複数形成し、これらバネ片５の丸く膨出した各先端５Ａが、前記係止壁３に弾力的に接触してコネクタ４をパネル１に取付けている。バネ片５の先端５Ａは、コネクタ４の背面を画成する外郭線から外方へはみ出るように膨出している。バネ片５の先端５Ａが係止壁３に弾力的に接触した状態で、このコネクタ４は、Ｘ軸方向とＹ軸方向の位置調整が可能となる。前記バネ片５は、コネクタ４のハウジング４０を樹脂材料から成形するときに一体成形し、長方形状の背面形状の上下の短辺に夫々１つずつ、両側の長辺に２ヶ一対ずつ成形した。
【００１０】
また、前記コネクタ４のハウジング４０の前方側上下２ヶ所には、コ字状の切り込みを入れた切欠片６を形成してある。このハウジング４０の内部には、後述する多数の電極挿入孔７を備えたインナーケース８をスライド可能に収容してある。このインナーケース８の仮止めを切欠片６に形成された爪部１１（後述する）で行っている。
【００１１】
このメス側のコネクタ４に、オス側のコネクタ９が嵌め合わされる。図１では電極挿入孔７に挿入される多数のオス端子１０を示さず、このオス端子１０を収容するハウジング９０のみを示している。このハウジング９０が前記ハウジング４０にかぶさるように嵌合する。オス側のコネクタ９はメータ等の補機の裏側に設けられている。
【００１２】
図２は、パネル１の表側から見た図であり、インナーケース８が多数の電極挿入孔７を備え、電源からのワイヤハーネスのメス端子が取付けられ、補機裏側に設けられたオス側のコネクタ９のオス端子１０を電極挿入孔７に挿入して２つのコネクタ４，９の結合を図る。結合状態を図３に示す。
【００１３】
両コネクタ４，９の結合動作を図４以下の図面に基づいて説明する。図４では、前記切欠片６の内側に爪部１１を形成してあり、この爪部１１と前記インナーケース８に形成された突部１２とが係合した状態を示す。この状態におけるコネクタ４のハウジング４０内のインナーケース８は仮止め状態にあり、仮止めを解除しない限りインナーケース８はハウジング４０内をスライドしない。また、コネクタ９側のハウジング９０の先端側内面には、膨出部１３を形成し、この膨出部１３が前記ハウジング４０の外面に接触し、膨出部１３以下のハウジング９０の内面とハウジング４０の外面との間に隙間１４を形成する。膨出部１３は内面全周に形成しておくことが望ましいが、切欠片６の形成個所に対応するハウジング９０の内面個所のみであってもよい。切欠片６の爪部１１を突部１２が乗り越えるときに、切欠片６の先端が外側に持ち上るので、この持ち上り分だけの隙間１４がハウジング９０の内部に必要となる。
【００１４】
図５及び図６において、図示しないオス端子１０を電極挿入孔７に挿入するとき、Ｘ軸、Ｙ軸のずれはバネ片５により調整され、正しい位置で挿入されることとなる。図５の状態で、オス端子１０が正しく電極挿入孔７に挿入されたならば、さらにオス側のコネクタ９をメス側のコネクタ４に押し込む。オス端子１０をサポートするサポート部材１５がインナーケース８の前面に当接するが、インナーケース８は突部１２が爪部１１に係合しているため、この状態で一旦停止する。オス端子１０を電極挿入孔７に挿入するとき、インナーケース８が仮止め状態であるため、挿入作業がし易く、かつＸ軸、Ｙ軸の２方向調整もし易くなる。さらにオス側のコネクタ９を押し込むと、図７に示すように、インナーケース８の突部１２が爪部１１を乗り越えて切欠片６の先端側を外方へ持ち上げ、持ち上げられた先端側が隙間１４に逃げ込む。さらに、コネクタ９を押し込むことにより、サポート部材１５がハウジング４０の端部に当接して停止する。図８の状態は、コネクタ９を最大限押し込んだ状態であり、仮止め状態（図６）からＬの範囲をスライドして完全に結合する。この状態で嵌合深さが深すぎる場合には、コネクタ９を引き戻して調整することができる。
【図面の簡単な説明】
【００１５】
【図１】パネルの背面側から見た結合前の斜視図。
【図２】パネルの表側から見た結合前の斜視図。
【図３】結合状態の斜視図。
【図４】結合前の簡略断面図。
【図５】一方のハウジングを他方のハウジングに嵌め込み始めた状態の簡略断面図。
【図６】嵌合途中の簡略断面図。
【図７】仮止め解除時の簡略断面図。
【図８】結合状態の簡略断面図。
【符号の説明】
【００１６】
１    パネル
２    開口
３    係止壁
４    コネクタ
５    バネ片
５Ａ  先端
６    切欠片
７    電極挿入孔
８    インナーケース
９    コネクタ
１０  オス端子
１１  爪部
１２  突部
１３  膨出部
１４  隙間
４０  ハウジング
９０  ハウジング
【図１】
2006302654.tif 000003
【図２】
2006302654.tif 000004
【図３】
2006302654.tif 000005
【図４】
2006302654.tif 000006
【図５】
2006302654.tif 000007
【図６】
2006302654.tif 000008
【図７】
2006302654.tif 000009
【図８】
2006302654.tif 000010